(57)【要約】【課題】複数枚の記録媒体に画像を形成するための印刷ジョブを実行している途中に、当該印刷ジョブの実行停止が指示された場合、枚数が不足している１組の記録媒体が利用者に提供されることを防止することができる画像形成システムおよび画像形成装置を提供する。【解決手段】本発明の画像形成装置は、複数ページの画像をページ毎に記録媒体に形成することを指示する印刷ジョブを受信する受信部と、印刷ジョブに基づいて、記録媒体に画像を形成する画像形成部と、画像形成装置により実行されている印刷ジョブの実行停止が指示されたことを認識する認識部と、印刷ジョブの実行停止が指示されたことが認識された場合、印刷ジョブの実行を停止することなく画像形成部による画像形成処理を継続して、印刷ジョブの残りのページの画像を記録媒体に形成する画像形成制御を行う画像形成制御部と、を有する。【選択図】図８
2012155622.tif 000002
【特許請求の範囲】
【請求項１】
印刷ジョブを送信する印刷ジョブ送信装置と前記印刷ジョブを実行して画像形成を行う画像形成装置とを有する画像形成システムであって、
前記印刷ジョブ送信装置は、
複数ページの画像をページ毎に記録媒体に形成することを指示する印刷ジョブを前記画像形成装置に送信する送信部を有し、
前記画像形成装置は、
前記印刷ジョブに基づいて、記録媒体に画像を形成する画像形成部と、
前記画像形成装置により実行されている前記印刷ジョブの実行停止が指示されたことを認識する認識部と、
前記認識部により前記印刷ジョブの実行停止が指示されたことが認識された場合、当該印刷ジョブの実行を停止することなく前記画像形成部による画像形成処理を継続して、前記印刷ジョブの残りのページの画像を記録媒体に形成する画像形成制御を行う画像形成制御部と、を有することを特徴とする画像形成システム。
【請求項２】
前記画像形成装置は、
前記画像形成部により画像が形成された記録媒体を収容する収容部と、
前記認識部により前記印刷ジョブの実行停止が指示されたことが認識されない場合、前記画像形成部による画像形成処理の終了後に、前記収容部に収容されている複数枚の記録媒体を第１の排出先に排出し、前記認識部により前記印刷ジョブの実行停止が指示されたことが認識された場合、前記画像形成部による画像形成処理の終了後に、前記収容部に収容されている複数枚の記録媒体を前記第１の排出先とは異なる第２の排出先に排出する出力制御を行う出力制御部と、をさらに有することを特徴とする請求項１に記載の画像形成システム。
【請求項３】
前記印刷ジョブ送信装置は、
前記画像形成制御部による前記画像形成制御を行うか否かを前記印刷ジョブに対して設定する設定部をさらに有し、
前記画像形成制御を行うことが前記印刷ジョブに設定されている場合、前記画像形成制御部による前記画像形成制御が行われることを特徴とする請求項１または２に記載の画像形成システム。
【請求項４】
前記複数ページの画像は、各ページに共通のオブジェクトを有する画像であることを特徴とする請求項１〜３のいずれか１項に記載の画像形成システム。
【請求項５】
印刷ジョブを送信する印刷ジョブ送信装置と前記印刷ジョブを実行して画像形成を行う画像形成装置とを有する画像形成システムで使用される前記画像形成装置であって、
複数ページの画像をページ毎に記録媒体に形成することを指示する印刷ジョブを受信する受信部と、
前記受信部により受信された前記印刷ジョブに基づいて、記録媒体に画像を形成する画像形成部と、
前記画像形成装置により実行されている前記印刷ジョブの実行停止が指示されたことを認識する認識部と、
前記認識部により前記印刷ジョブの実行停止が指示されたことが認識された場合、当該印刷ジョブの実行を停止することなく前記画像形成部による画像形成処理を継続して、前記印刷ジョブの残りのページの画像を記録媒体に形成する画像形成制御を行う画像形成制御部と、を有することを特徴とする画像形成装置。
【請求項６】
前記画像形成部により画像が形成された記録媒体を収容する収容部と、
前記認識部により前記印刷ジョブの実行停止が指示されたことが認識されない場合、前記画像形成部による画像形成処理の終了後に、前記収容部に収容されている複数枚の記録媒体を第１の排出先に排出し、前記認識部により前記印刷ジョブの実行停止が指示されたことが認識された場合、前記画像形成部による画像形成処理の終了後に、前記収容部に収容されている複数枚の記録媒体を前記第１の排出先とは異なる第２の排出先に排出する出力制御を行う出力制御部と、をさらに有することを特徴とする請求項５に記載の画像形成装置。
【請求項７】
前記画像形成制御を行うことが前記印刷ジョブに設定されている場合、前記画像形成制御部による前記画像形成制御が行われることを特徴とする請求項５または６に記載の画像形成装置。
【請求項８】
前記複数ページの画像は、各ページに共通のオブジェクトを有する画像であることを特徴とする請求項５〜７のいずれか１項に記載の画像形成装置。
【請求項９】
印刷ジョブを実行して画像形成を行う画像形成装置であって、
複数ページの画像をページ毎に記録媒体に形成することを指示する印刷ジョブを生成する生成部と、
前記生成部により生成された前記印刷ジョブに基づいて、記録媒体に画像を形成する画像形成部と、
前記画像形成装置により実行されている前記印刷ジョブの実行停止が指示されたことを認識する認識部と、
前記認識部により前記印刷ジョブの実行停止が指示されたことが認識された場合、当該印刷ジョブの実行を停止することなく前記画像形成部による画像形成処理を継続して、前記印刷ジョブの残りのページの画像を記録媒体に形成する画像形成制御を行う画像形成制御部と、を有することを特徴とする画像形成装置。
【請求項１０】
前記画像形成部により画像が形成された記録媒体を収容する収容部と、
前記認識部により前記印刷ジョブの実行停止が指示されたことが認識されない場合、前記画像形成部による画像形成処理の終了後に、前記収容部に収容されている複数枚の記録媒体を第１の排出先に排出し、前記認識部により前記印刷ジョブの実行停止が指示されたことが認識された場合、前記画像形成部による画像形成処理の終了後に、前記収容部に収容されている複数枚の記録媒体を前記第１の排出先とは異なる第２の排出先に排出する出力制御を行う出力制御部と、をさらに有することを特徴とする請求項９に記載の画像形成装置。
【請求項１１】
前記画像形成制御部による前記画像形成制御を行うか否かを前記印刷ジョブに対して設定する設定部をさらに有し、
前記画像形成制御を行うことが前記印刷ジョブに設定されている場合、前記画像形成制御部による前記画像形成制御が行われることを特徴とする請求項９または１０に記載の画像形成装置。
【請求項１２】
前記複数ページの画像は、各ページに共通のオブジェクトを有する画像であることを特徴とする請求項９〜１１のいずれか１項に記載の画像形成装置。
【発明の詳細な説明】
【技術分野】
【０００１】
本発明は、画像形成システムおよび画像形成装置に関する。本発明は、特に、カーボンコピー印刷に用いられる画像形成システムおよび画像形成装置に関する。
【背景技術】
【０００２】
近年、市役所や病院等の施設において、「顧客用」帳票、「処理用」帳票、および「控え用」帳票等からなる１組の帳票を、ＭＦＰ（Ｍｕｌｔｉ−Ｆｕｎｃｔｉｏｎ  Ｐｅｒｉｐｈｅｒａｌ）等の画像形成装置により作成するカーボンコピー印刷が利用されている。カーボンコピー印刷では、ＰＣ（Ｐｅｒｓｏｎａｌ  Ｃｏｍｐｕｔｅｒ）により生成された印刷ジョブをＭＦＰが実行することにより、各帳票に対応する画像が用紙に形成され、画像が形成された複数枚の用紙がＭＦＰから出力される（たとえば、特許文献１参照）。
【０００３】
ところで、通常、ＭＦＰはネットワークに接続され、複数のＰＣにより共有される。このような環境下では、特定のＰＣから送信された印刷ジョブをＭＦＰが実行している途中に、当該印刷ジョブのキャンセルが別のＰＣから誤って指示されてしまうことが想定される。帳票を印刷するための印刷ジョブが実行中にキャンセルされる場合、特定の帳票が印刷されないまま印刷処理が終了してしまうことがある。
【０００４】
たとえば、上記３枚１組の帳票のうち「処理用」帳票が印刷されることなく印刷処理が誤って終了された場合、「処理用」帳票が印刷されていないことに利用者が気付かないままＭＦＰから他の２枚の帳票を持ち去って処理を進めれば、「顧客用」帳票を顧客に渡したにも関わらず、その後、処理が進められないという問題が生じる。カーボンコピー印刷では、１組の帳票を構成する複数枚の帳票がすべて揃っていることが重要である。
【０００５】
したがって、印刷ジョブの実行中にキャンセルが指示された場合、枚数が不足している１組の帳票が利用者に提供されることを防止することが望まれている。
【０００６】
なお、下記の特許文献２には、複数枚の用紙に画像を形成する際、すべての用紙に対する印刷処理が終了するまで装置内部の保管部に印刷済みの用紙を保管しておき、印刷処理の終了後に用紙を一括出力する画像形成装置が開示されている。このような構成によれば、印刷処理の終了前に利用者が一部の帳票を持ち去って帳票がバラバラになることが防止される。しかしながら、上記の画像形成装置では、印刷ジョブの実行中にキャンセルが指示された場合、枚数が不足している１組の帳票が利用者に提供されてしまう。
【先行技術文献】
【特許文献】
【０００７】
【特許文献１】特開２００７−２１３３６５号公報
【特許文献２】特開２００７−２５３３４３号公報
【発明の概要】
【発明が解決しようとする課題】
【０００８】
本発明は、上述した課題に鑑みてなされたものである。したがって、本発明の目的は、複数枚の記録媒体に画像を形成するための印刷ジョブを実行している途中に、当該印刷ジョブの実行停止が指示された場合、枚数が不足している１組の記録媒体が利用者に提供されることを防止することができる画像形成システムおよび画像形成装置を提供することである。
【課題を解決するための手段】
【０００９】
本発明の上記目的は、下記の手段によって達成される。
【００１０】
（１）印刷ジョブを送信する印刷ジョブ送信装置と前記印刷ジョブを実行して画像形成を行う画像形成装置とを有する画像形成システムであって、前記印刷ジョブ送信装置は、複数ページの画像をページ毎に記録媒体に形成することを指示する印刷ジョブを前記画像形成装置に送信する送信部を有し、前記画像形成装置は、前記印刷ジョブに基づいて、記録媒体に画像を形成する画像形成部と、前記画像形成装置により実行されている前記印刷ジョブの実行停止が指示されたことを認識する認識部と、前記認識部により前記印刷ジョブの実行停止が指示されたことが認識された場合、当該印刷ジョブの実行を停止することなく前記画像形成部による画像形成処理を継続して、前記印刷ジョブの残りのページの画像を記録媒体に形成する画像形成制御を行う画像形成制御部と、を有することを特徴とする画像形成システム。
【００１１】
（２）前記画像形成装置は、前記画像形成部により画像が形成された記録媒体を収容する収容部と、前記認識部により前記印刷ジョブの実行停止が指示されたことが認識されない場合、前記画像形成部による画像形成処理の終了後に、前記収容部に収容されている複数枚の記録媒体を第１の排出先に排出し、前記認識部により前記印刷ジョブの実行停止が指示されたことが認識された場合、前記画像形成部による画像形成処理の終了後に、前記収容部に収容されている複数枚の記録媒体を前記第１の排出先とは異なる第２の排出先に排出する出力制御を行う出力制御部と、をさらに有することを特徴とする上記（１）に記載の画像形成システム。
【００１２】
（３）前記印刷ジョブ送信装置は、前記画像形成制御部による前記画像形成制御を行うか否かを前記印刷ジョブに対して設定する設定部をさらに有し、前記画像形成制御を行うことが前記印刷ジョブに設定されている場合、前記画像形成制御部による前記画像形成制御が行われることを特徴とする上記（１）または（２）に記載の画像形成システム。
【００１３】
（４）前記複数ページの画像は、各ページに共通のオブジェクトを有する画像であることを特徴とする上記（１）〜（３）のいずれか１つに記載の画像形成システム。
【００１４】
（５）印刷ジョブを送信する印刷ジョブ送信装置と前記印刷ジョブを実行して画像形成を行う画像形成装置とを有する画像形成システムで使用される前記画像形成装置であって、複数ページの画像をページ毎に記録媒体に形成することを指示する印刷ジョブを受信する受信部と、前記受信部により受信された前記印刷ジョブに基づいて、記録媒体に画像を形成する画像形成部と、前記画像形成装置により実行されている前記印刷ジョブの実行停止が指示されたことを認識する認識部と、前記認識部により前記印刷ジョブの実行停止が指示されたことが認識された場合、当該印刷ジョブの実行を停止することなく前記画像形成部による画像形成処理を継続して、前記印刷ジョブの残りのページの画像を記録媒体に形成する画像形成制御を行う画像形成制御部と、を有することを特徴とする画像形成装置。
【００１５】
（６）前記画像形成部により画像が形成された記録媒体を収容する収容部と、前記認識部により前記印刷ジョブの実行停止が指示されたことが認識されない場合、前記画像形成部による画像形成処理の終了後に、前記収容部に収容されている複数枚の記録媒体を第１の排出先に排出し、前記認識部により前記印刷ジョブの実行停止が指示されたことが認識された場合、前記画像形成部による画像形成処理の終了後に、前記収容部に収容されている複数枚の記録媒体を前記第１の排出先とは異なる第２の排出先に排出する出力制御を行う出力制御部と、をさらに有することを特徴とする上記（５）に記載の画像形成装置。
【００１６】
（７）前記画像形成制御を行うことが前記印刷ジョブに設定されている場合、前記画像形成制御部による前記画像形成制御が行われることを特徴とする上記（５）または（６）に記載の画像形成装置。
【００１７】
（８）前記複数ページの画像は、各ページに共通のオブジェクトを有する画像であることを特徴とする上記（５）〜（７）のいずれか１つに記載の画像形成装置。
【００１８】
（９）印刷ジョブを実行して画像形成を行う画像形成装置であって、複数ページの画像をページ毎に記録媒体に形成することを指示する印刷ジョブを生成する生成部と、前記生成部により生成された前記印刷ジョブに基づいて、記録媒体に画像を形成する画像形成部と、前記画像形成装置により実行されている前記印刷ジョブの実行停止が指示されたことを認識する認識部と、前記認識部により前記印刷ジョブの実行停止が指示されたことが認識された場合、当該印刷ジョブの実行を停止することなく前記画像形成部による画像形成処理を継続して、前記印刷ジョブの残りのページの画像を記録媒体に形成する画像形成制御を行う画像形成制御部と、を有することを特徴とする画像形成装置。
【００１９】
（１０）前記画像形成部により画像が形成された記録媒体を収容する収容部と、前記認識部により前記印刷ジョブの実行停止が指示されたことが認識されない場合、前記画像形成部による画像形成処理の終了後に、前記収容部に収容されている複数枚の記録媒体を第１の排出先に排出し、前記認識部により前記印刷ジョブの実行停止が指示されたことが認識された場合、前記画像形成部による画像形成処理の終了後に、前記収容部に収容されている複数枚の記録媒体を前記第１の排出先とは異なる第２の排出先に排出する出力制御を行う出力制御部と、をさらに有することを特徴とする上記（９）に記載の画像形成装置。
【００２０】
（１１）前記画像形成制御部による前記画像形成制御を行うか否かを前記印刷ジョブに対して設定する設定部をさらに有し、前記画像形成制御を行うことが前記印刷ジョブに設定されている場合、前記画像形成制御部による前記画像形成制御が行われることを特徴とする上記（９）または（１０）に記載の画像形成装置。
【００２１】
（１２）前記複数ページの画像は、各ページに共通のオブジェクトを有する画像であることを特徴とする上記（９）〜（１１）のいずれか１つに記載の画像形成装置。
【発明の効果】
【００２２】
本発明によれば、印刷ジョブの実行停止が指示された場合であっても、印刷ジョブが途中で停止されることなく最後まで実行され、１組の記録媒体がすべて出力されるため、枚数が不足している１組の記録媒体が利用者に提供されることが防止される。
【図面の簡単な説明】
【００２３】
【図１】本発明の一実施形態に係る画像形成システムの全体構成を示すブロック図である。
【図２】図１に示されるＰＣの構成を示すブロック図である。
【図３】図１に示されるＭＦＰの構成を示す概略正面図である。
【図４】図１に示されるＭＦＰの構成を示すブロック図である。
【図５】カーボンコピー印刷により作成される１組の帳票の一例を示す図である。
【図６】ＰＣにより実行される印刷指示処理の手順を示すフローチャートである。
【図７】ＰＣのディスプレイに表示される出力設定画面の一例を示す図である。
【図８】ＭＦＰにより実行される印刷処理の手順を示すフローチャートである。
【図９】ＰＣからＭＦＰに送信される印刷ジョブの印刷データの一例を示す図である。
【図１０】変形例に係るＭＦＰのＨＤＤの内容を示すブロック図である。
【発明を実施するための形態】
【００２４】
以下、図面を参照して、本発明の実施形態を詳細に説明する。
【００２５】
図１は、本発明の一実施形態に係る画像形成システムの全体構成を示すブロック図である。
【００２６】
本実施形態の画像形成システムは、印刷ジョブ送信装置としてのＰＣ１００と、画像形成装置としてのＭＦＰ２００とを備え、これらはネットワーク３００を介して相互に通信可能に接続されている。
【００２７】
ネットワーク３００は、イーサネット（登録商標）、トークンリング、ＦＤＤＩ（Ｆｉｂｅｒ  Ｄｉｓｔｒｉｂｕｔｅｄ  Ｄａｔａ  Ｉｎｔｅｒｆａｃｅ）等の規格によりコンピュータやネットワーク機器同士を接続したＬＡＮ（Ｌｏｃａｌ  Ａｒｅａ  Ｎｅｔｗｏｒｋ）や、ＬＡＮ同士を専用線で接続したＷＡＮ（Ｗｉｄｅ  Ａｒｅａ  Ｎｅｔｗｏｒｋ）等からなる。なお、ネットワーク３００に接続される機器の種類および台数は、図１に示す例に限定されない。また、ＰＣ１００とＭＦＰ２００とは、ネットワーク３００を介することなく直接機器間で接続（ローカル接続）されていてもよい。
【００２８】
図２は、図１に示されるＰＣの構成を示すブロック図である。ＰＣ１００は、ＣＰＵ（Ｃｅｎｔｒａｌ  Ｐｒｏｃｅｓｓｉｎｇ  Ｕｎｉｔ）１０１、メモリ１０２、ＨＤＤ（Ｈａｒｄ  Ｄｉｓｋ  Ｄｒｉｖｅ）１０３、ディスプレイ１０４、入力装置１０５、および通信Ｉ／Ｆ（Ｉｎｔｅｒｆａｃｅ）部１０６を備えており、これらは信号をやり取りするためのバス１０７を介して相互に接続されている。
【００２９】
ＣＰＵ１０１は、プログラムにしたがって上記各部の制御や各種の演算処理を行う。メモリ１０２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄａｍ  Ａｃｃｅｓｓ  Ｍｅｍｏｒｙ）等からなる。
【００３０】
ＨＤＤ１０３は、オペレーティングシステムを含む各種プログラムや各種データを格納する。ＨＤＤ１０３には、文書ファイルを作成するための文書ファイル作成アプリケーションと、文書ファイルをＭＦＰ２００が解釈可能なページ記述言語（ＰＤＬ）で記述された印刷データに変換するためのプリンタドライバとがインストールされている。ここで、文書ファイル作成アプリケーションには、たとえば、帳票作成用の専用のアプリケーションが含まれる。
【００３１】
ディスプレイ１０４は、たとえば、液晶ディスプレイであり、各種の情報を表示する。入力装置１０５は、マウス等のポインティングデバイスやキーボードを含み、各種の入力を行うために使用される。
【００３２】
通信Ｉ／Ｆ部１０６は、ネットワーク３００を介し他の機器と通信するためのインタフェースであり、イーサネット（登録商標）、トークンリング、ＦＤＤＩ等の規格が用いられる。
【００３３】
図３は、図１に示されるＭＦＰの構成を示す概略正面図であり、図４は、図１に示されるＭＦＰの構成を示すブロック図である。
【００３４】
ＭＦＰ２００は、制御部２１０、操作パネル部２２０、画像読取部２３０、給紙部２４０、画像形成部２５０、一時保管部２６０、排紙部２７０、および停止指示ジョブ保管部２８０を備えており、これらは信号をやり取りするためのバスを介して相互に接続されている。なお、ＭＦＰ２００の上記各部のうち、ＰＣ１００の上記各部と同様の機能を有する部分については、説明の重複を避けるためその説明を省略する。
【００３５】
制御部２１０は、ＣＰＵ２０１、メモリ２０２、ＨＤＤ２０３、および通信Ｉ／Ｆ部２０４を有する。ＨＤＤ２０３には、ＰＣ１００からの印刷データを変換してビットマップ形式の画像データを生成するための画像データ生成プログラム、および、印刷ジョブの実行中に印刷ジョブのキャンセルが指示された場合に印刷済みの用紙を停止指示ジョブ保管部２８０に保管するジョブ終了処理を実行するためのジョブ終了処理実行プログラムが格納されている。
【００３６】
操作パネル部２２０は、タッチパネル、テンキー、スタートボタン、ストップボタン等を備えており、各種情報の表示および各種指示の入力に使用される。
【００３７】
画像読取部２３０は、所定の読み取り位置にセットされた原稿またはＡＤＦ（Ａｕｔｏ  Ｄｏｃｕｍｅｎｔ  Ｆｅｅｄｅｒ：自動原稿搬送装置）により所定の読み取り位置に搬送された原稿に蛍光ランプ等の光源で光を当て、その反射光をＣＣＤ（Ｃｈａｒｇｅ  Ｃｏｕｐｌｅｄ  Ｄｅｖｉｃｅ）イメージセンサ等の撮像装置で光電変換して、その電気信号から画像データを生成する。
【００３８】
給紙部２４０は、印刷に使用される記録媒体としての用紙を収容する。給紙部２４０は、複数の給紙トレイを有しており、給紙トレイに収容された用紙を１枚ずつ画像形成部２５０に送り出す。
【００３９】
画像形成部２５０は、帯電、露光、現像、転写、および定着の各工程を含む電子写真式プロセス等の周知の作像プロセスを用いて、各種データに基づく画像を用紙上に形成する。
【００４０】
一時保管部２６０は、収容部として、画像形成部２５０から搬送される印刷後の用紙を一時的に収容する。一時保管部２６０は、用紙を搬送するための搬送機構（不図示）を有し、排紙部２７０または停止指示ジョブ保管部２８０に複数枚の用紙をまとめて排出する。一時保管部２６０には、画像形成部２５０から搬送される印刷済みの用紙の枚数を認識するためのセンサおよびカウンタ（不図示）が設けられている。
【００４１】
排紙部２７０は、一時保管部２６０に収容されている印刷後の用紙を排出する。排紙部２７０は、複数の排紙トレイを有しており、一時保管部２６０から搬送される印刷後の用紙は所定の排紙トレイに排出される。また、排紙部２７０には、ステープル処理およびパンチ処理等の後処理を施すための後処理装置（不図示）が設けられており、印刷設定に応じて、印刷済みの用紙に対して後処理を施すことができる。なお、排紙部２７０には、用紙を取り出すための扉が設けられた排紙ボックスが備えられ、一時保管部２６０から搬送される印刷後の用紙は排紙ボックスに収容されてもよい。
【００４２】
停止指示ジョブ保管部２８０は、一時保管部２６０に収容されている印刷後の用紙を保管する。本実施形態の停止指示ジョブ保管部２８０は、用紙を取り出すための扉（不図示）が設けられており、一時保管部２６０から搬送される用紙がＭＦＰ２００の外部に排出されることを防止している。
【００４３】
なお、ＰＣ１００およびＭＦＰ２００は、それぞれ、上記の構成要素以外の構成要素を含んでいてもよく、あるいは、上記の構成要素のうちの一部が含まれていなくてもよい。
【００４４】
次に、図５を参照して、カーボンコピー印刷について説明する。
【００４５】
図５は、カーボンコピー印刷により作成される１組の帳票の一例を示す図である。カーボンコピー印刷では、ＭＦＰ２００により各帳票に対応する画像が用紙上に形成されることにより、１組の帳票が作成される。たとえば、図５（Ａ）〜図５（Ｃ）に示すような「顧客用」帳票、「処理用」帳票、および「控え用」帳票からなる３枚１組の帳票が作成される。
【００４６】
このような１組の帳票の画像は、たとえば、専用のアプリケーションを用いてＰＣ１００により編集される。編集された帳票の画像についての印刷データがＰＣ１００からＭＦＰ２００に送信されることにより、ＭＦＰ２００により１組の帳票が作成される。以下、図６〜図９を参照して、本実施形態における画像形成システムの動作について説明する。
【００４７】
図６は、ＰＣにより実行される印刷指示処理の手順を示すフローチャートである。本実施形態では、帳票作成用のアプリケーションにより帳票が編集された後、当該アプリケーションを介してプリンタドライバが起動される。プリンタドライバを介して、ＰＣ１００の利用者により印刷指示が行われる。なお、図６のフローチャートに示されるアルゴリズムは、ＰＣ１００のＨＤＤ１０３にプログラムとして記憶されており、ＣＰＵ１０１により実行される。
【００４８】
印刷指示処理では、まず、カーボンコピー印刷が設定される（ステップＳ１０１）。本実施形態では、プリンタドライバが起動されることにより、出力設定画面４００（図７参照）がＰＣ１００のディスプレイ１０４に表示される。ディスプレイ１０４に表示される出力設定画面４００を通じて、カーボンコピー印刷が設定される。
【００４９】
図７は、出力設定画面の一例を示す図である。出力設定画面４００は、印刷ジョブに対するジョブ終了処理の実行を設定するためのチェックボックス４１０を有する。ステップＳ１０１に示す処理では、ユーザ操作により、チェックボックス４１０がチェックされる場合、ジョブ終了処理を伴うカーボンコピー印刷が設定される。
【００５０】
続いて、ＭＦＰ２００に対して印刷処理が指示される（ステップＳ１０２）。本実施形態では、ステップＳ１０１に示す処理でカーボンコピー印刷が設定された印刷ジョブが、ＰＣ１００からＭＦＰ２００に送信される。
【００５１】
以上のとおり、図６に示すフローチャートの処理によれば、印刷ジョブに対してジョブ終了処理を伴うカーボンコピー印刷が設定され、カーボンコピー印刷が設定された印刷ジョブがＭＦＰ２００に送信される。
【００５２】
図８は、ＭＦＰにより実行される印刷処理の手順を示すフローチャートである。なお、図８のフローチャートに示されるアルゴリズムは、ＭＦＰ２００のＨＤＤ２０３にプログラムとして記憶されており、ＣＰＵ２０１により実行される。
【００５３】
印刷処理では、まず、印刷指示が受け付けられる（ステップＳ２０１）。本実施形態では、ＰＣ１００から送信された印刷ジョブが受信される。
【００５４】
図９は、ＰＣからＭＦＰに送信される印刷ジョブの印刷データの一例を示す図である。印刷データ５００は、複数ページの画像をページ毎に用紙上に形成するためのデータであり、ヘッダ部５１０と本体部５２０とを有する。ヘッダ部５１０には、カーボンコピー印刷を行うことを示す情報、および、ジョブ終了処理を実行することを示す情報が記述されている。本体部５２０には、各帳票（ページ）の画像に含まれるオブジェクトを示す情報が記述されている。なお、カーボンコピー印刷では、すべてのページに共通するオブジェクトが多数含まれる。
【００５５】
続いて、画像の印刷が行われる（ステップＳ２０２）。本実施形態では、印刷データに基づいて、１つの帳票の画像が用紙上に形成される。
【００５６】
続いて、用紙が一時保管部２６０に保管される（ステップＳ２０３）。本実施形態では、ステップＳ２０２に示す処理で帳票の画像が形成された用紙が、一時保管部２６０に収容される。
【００５７】
続いて、停止指示があったか否かが判断される（ステップＳ２０４）。本実施形態では、ＭＦＰ２００に対して印刷ジョブの実行をキャンセルする旨の指示があったか否かが判断される。ネットワーク３００上のＰＣから印刷ジョブのキャンセルが指示された場合、あるいは、ＭＦＰ２００の操作パネル部２２０を通じて印刷ジョブのキャンセルが指示された場合、停止指示があったと判断される。
【００５８】
停止指示があったと判断される場合（ステップＳ２０４：ＹＥＳ）、印刷ジョブがカーボンコピー印刷ジョブであるか否かが判断される（ステップＳ２０５）。本実施形態では、印刷データ５００のヘッダ部５１０が参照され、カーボンコピー印刷を行うことを示す情報およびジョブ終了処理を実行することを示す情報が「ＯＮ」であるか否かが判断される。これらの情報が「ＯＮ」である場合、印刷ジョブがカーボンコピー印刷ジョブであると判断される。
【００５９】
印刷ジョブがカーボンコピー印刷ジョブでないと判断される場合（ステップＳ２０５：ＮＯ）、全用紙が排紙部２７０に排出され（ステップＳ２０８）、処理が終了される。本実施形態では、印刷ジョブが最後まで実行されることなく終了され、一時保管部２６０に収容されている用紙が、通常の排出先である排紙部２７０に排出される。
【００６０】
一方、ステップＳ２０４に示す処理において停止指示がないと判断される場合（ステップＳ２０４：ＮＯ）、または、ステップＳ２０５に示す処理において印刷ジョブがカーボンコピー印刷ジョブであると判断される場合（ステップＳ２０５：ＹＥＳ）、全用紙の印刷が終了しているか否かが判断される（ステップＳ２０６）。本実施形態では、印刷データに基づいてすべてのページの画像がページ毎に用紙に形成されたか否かが判断される。たとえば、印刷データに含まれる情報から求まるページ数と一時保管部２６０に保管されている用紙の枚数とを比較して、全用紙の印刷が終了しているか否かが判断される。
【００６１】
全用紙の印刷が終了していないと判断される場合（ステップＳ２０６：ＮＯ）、ステップＳ２０２の処理に戻る。その結果、次のページ（帳票）の画像が用紙上に形成される。
【００６２】
一方、全用紙の印刷が終了していると判断される場合（ステップＳ２０６：ＹＥＳ）、印刷ジョブがカーボンコピー印刷ジョブであり、かつ、停止指示があったか否かが判断される（ステップＳ２０７）。本実施形態では、印刷処理が終了した印刷ジョブがカーボンコピー印刷ジョブであり、さらに、ステップＳ２０４に示す処理で停止指示が認識されたか否かが判断される。
【００６３】
印刷ジョブがカーボンコピー印刷ジョブでない、または、停止指示がなかったと判断される場合（ステップＳ２０７：ＮＯ）、全用紙が排紙部２７０に排出され（ステップＳ２０８）、処理が終了される。本実施形態では、一時保管部２６０に収容されている用紙（たとえば、１組の帳票）が、通常の排出先である排紙部２７０に排出される。１組の帳票が排紙部２７０に排出されることにより、１組の帳票を構成する複数枚の帳票は、印刷設定にしたがって、同一または異なる排紙トレイ（または、排紙ボックス）に排出される。
【００６４】
一方、印刷ジョブがカーボンコピー印刷ジョブであり、かつ、停止指示があったと判断される場合（ステップＳ２０７：ＹＥＳ）、全用紙が停止指示ジョブ保管部２８０に保管され（ステップ２０９）、処理が終了される。本実施形態では、一時保管部２６０に収容されている１組の帳票が、停止指示ジョブ保管部２８０に保管される。
【００６５】
以上のとおり、図８に示すフローチャートの処理によれば、印刷ジョブの実行中に印刷ジョブのキャンセルが認識された場合、まず、印刷ジョブがカーボンコピー印刷ジョブであるか否かが判断される。印刷ジョブがカーボンコピー印刷ジョブであると判断される場合、印刷ジョブが途中で終了されることなく最後まで実行され、すべての帳票が作成される。そして、すべての帳票が揃っている１組の帳票が、停止指示ジョブ保管部２８０に保管される。
【００６６】
このような構成によれば、印刷ジョブの実行中に印刷ジョブのキャンセルが指示された場合であっても、１組の帳票がすべて印刷されるため、枚数が不足している１組の帳票が利用者に提供されることが防止される。したがって、印刷ジョブのキャンセルが誤って指示された場合に、枚数が不足している１組の帳票を利用者がＭＦＰ２００から持ち去ってしまうことが防止される。
【００６７】
また、印刷ジョブのキャンセルが指示された場合、１組の帳票は、通常の排紙先である排紙部２７０ではなく、ＭＦＰ２００の内部に設けられた停止指示ジョブ保管部２８０に保管される。したがって、他人により印刷ジョブのキャンセルが誤って指示された場合、印刷ジョブのキャンセルが指示されたことに利用者が気付くことができる。また、帳票が不要であると利用者が考え、利用者の意思に基づき印刷ジョブのキャンセルが指示された場合、不要とされる１組の帳票が排紙部２７０において他の書類と混ざり合ってしまうことが防止される。
【００６８】
また、印刷ジョブが誤ってキャンセルされても帳票の再印刷を行う必要がないため、帳票を再印刷する場合に発生する、印刷ジョブがキャンセルされた１組の帳票と印刷ジョブが正常に終了した１組の帳票とが混ざり合ってしまうという問題が発生しない。したがって、２組の帳票が混ざり合うことにより同一の帳票に対して処理が二重に行われるという問題が発生しない。
【００６９】
（変形例）
上述した実施形態では、印刷ジョブは、印刷ジョブ送信装置であるＰＣ１００により生成され、ＭＦＰ２００に送信された。しかしながら、印刷ジョブは、ＭＦＰ２００により生成されてもよい。
【００７０】
図１０は、本実施形態の変形例に係るＭＦＰのＨＤＤの内容を示す図である。ＨＤＤ２０３には、文書ファイルを作成するための文書ファイル作成アプリケーション（帳票作成用のアプリケーション）、文書ファイルをＭＦＰ２００が解釈可能なＰＤＬで記述された印刷データに変換するための印刷ジョブ生成プログラム、印刷データを変換してビットマップ形式の画像データを生成するための画像データ生成プログラム、および、印刷ジョブの実行中に印刷ジョブのキャンセルが指示された場合に印刷済みの用紙を停止指示ジョブ保管部２８０に保管するジョブ終了処理を実行するためのジョブ終了処理実行プログラムが格納されている。
【００７１】
なお、ＨＤＤ２０３に文書ファイル作成アプリケーションおよび印刷ジョブ生成プログラム（プリンタドライバ）が記憶されている点を除いては、変形例に係るＭＦＰの構成は、本実施形態に係るＭＦＰの構成と同様であるため、詳細な説明は省略する。
【００７２】
このような構成によれば、ＭＦＰ２００の操作パネル部２２０を通じて、ユーザが、帳票作成用のアプリケーションにより帳票を編集した後、ジョブ終了処理を伴うカーボンコピー印刷を設定して印刷の実行を指示すれば、ＭＦＰ２００内部で印刷ジョブが生成され、印刷ジョブが実行される。そして、印刷ジョブの実行中に印刷ジョブのキャンセルが指示された場合であっても、１組の帳票がすべて印刷され、すべての帳票が揃っている１組の帳票が、停止指示ジョブ保管部２８０に保管される。
【００７３】
本発明は、上記実施形態のみに限定されるものではなく、特許請求の範囲内において、種々改変することができる。
【００７４】
たとえば、上記実施形態では、画像形成部２５０により画像が形成された用紙は一時保管部２６０に収容され、印刷ジョブのキャンセルが認識された場合、停止指示ジョブ保管部２８０に保管された。しかしながら、印刷ジョブのキャンセルが認識された場合、一時保管部２６０に収容されている用紙は、排紙部２７０に排出されてもよい。この場合、一時保管部２６０は省略され得る。
【００７５】
また、上記実施形態では、ＰＣのディスプレイに表示される出力設定画面４００を通じて、ユーザ操作により、ジョブ終了処理の実行が設定された。しかしながら、ジョブ終了処理の実行は、プリンタドライバを起動するアプリケーション（または、アプリケーションにおける帳票のテンプレート）に応じて予め設定され、プリンタドライバの起動時に自動的に設定されてもよい。
【００７６】
また、上記実施形態では、印刷ジョブがカーボンコピー印刷ジョブである場合に限り、ジョブ終了処理が実行された。しかしながら、たとえば、各ページに共通のオブジェクトを有さない複数ページの画像を用紙に形成する通常の印刷ジョブに対して、ジョブ終了処理が実行されてもよい。
【００７７】
本実施形態にかかる画像形成システムにおける各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、装置の一機能としてその装置のソフトウエアに組み込まれてもよい。
【符号の説明】
【００７８】
１００  ＰＣ、
１０１，２０１  ＣＰＵ、
１０２，２０２  メモリ、
１０３，２０３  ＨＤＤ、
１０４  ディスプレイ、
１０５  入力装置、
１０６，２０４  通信Ｉ／Ｆ部、
１０７  バス、
２００  ＭＦＰ、
２１０  制御部、
２２０  操作パネル部、
２３０  画像読取部、
２４０  給紙部、
２５０  画像形成部、
２６０  一時保管部、
２７０  排紙部、
２８０  異常終了用紙保管部、
３００  ネットワーク、
４００  出力設定画面、
５００  印刷データ。
【図１】
2012155622.tif 000003
【図２】
2012155622.tif 000004
【図３】
2012155622.tif 000005
【図４】
2012155622.tif 000006
【図６】
2012155622.tif 000007
【図７】
2012155622.tif 000008
【図８】
2012155622.tif 000009
【図９】
2012155622.tif 000010
【図１０】
2012155622.tif 000011
【図５】
2012155622.tif 000012